(57)【要約】      （修正有）【課題】痕跡を残すことなく封印シールを剥がし取ることを防止すると共に、容易に開放され難くすることで、ＲＯＭなどの電子部品が実装された制御基板に対して不正行為が行われることを有効に防止することのできる遊技機の基板ケースを提供する。【解決手段】基板ケースは、ベース体３と、蓋体５と、保護カバー７とから構成され、保護カバー７は、封印シール４５と封止部（ワンウェイビス２７、カシメピン２８、リング１７、筒状部材１４、３４）を覆って保護すると共に、ベース体３と蓋体５とのスライド移動を規制するように、ワンウェイビス７３、ビス７４、係止片７９にて基板ケースを封止するようにベース体３と蓋体５とに取り付けられる。【選択図】図３
2015165939.tif 000002
【特許請求の範囲】
【請求項１】
遊技機に取り付けられるベース体と、該ベース体に蓋をする蓋体とを備え、遊技の制御を行うための電子部品が実装された制御基板を収容する遊技機の基板ケースであって、
前記蓋体は、前記ベース体に対して所定の移動をすることによって、該ベース体に重合又は離脱され、
前記重合されたベース体と蓋体との所定部位に跨って貼付される封印シールと、
少なくとも前記封印シールを覆うカバー部材と、を備え、
前記カバー部材は、前記重合されたベース体又は蓋体に所定の手段で固定されると共に、該ベース体又は蓋体に固定された状態では、該蓋体の該ベース体に対する離脱の移動ができないようにすることを特徴とする遊技機の基板ケース。
【請求項２】
前記重合されたベース体と蓋体とを互いに離脱困難にする封止部を備え、
前記カバー部材は、透明な材料にて形成されていることを特徴とする請求項１に記載の遊技機の基板ケース。
【請求項３】
前記カバー部材は、前記封止部を覆うように形成されていることを特徴とする請求項２に記載の遊技機の基板ケース。
【請求項４】
前記蓋体は、前記ベース体に対してスライドすることによって、該ベース体に重合又は離脱され、前記カバー部材は、前記重合されたベース体と蓋体の両者に固定されることにより、該蓋体の該ベース体に対するスライドができないようにしたことを特徴とする請求項１乃至請求項３の何れか１項に記載の遊技機の基板ケース。
【請求項５】
前記蓋体は、前記ベース体に対してスライドすることによって、該ベース体に重合又は離脱され、
前記カバー部材は、前記ベース体に固定された状態ではその所定部位を前記重合された蓋体の所定部位に係合させることにより、又は、前記蓋体に固定された状態ではその所定部位を前記重合されたベース体の所定部位に係合させることにより、該蓋体の該ベース体に対するスライドができないようにしたことを特徴とする請求項１乃至請求項３の何れか１項に記載の遊技機の基板ケース。
【請求項６】
前記カバー部材は、封止部材により前記重合されたベース体又は蓋体に固定されていることを特徴とする請求項１乃至請求項５の何れか１項に記載の遊技機の基板ケース。
【請求項７】
前記カバー部材は、その形状が、前記重合されたベース体と蓋体の該カバー部材と係合する部位の形状とほぼ一致するように形成されていることを特徴とする請求項１乃至請求項６の何れか１項に記載の遊技機の基板ケース。
【請求項８】
前記基板ケースが前記遊技機に装着された状態では、該遊技機の他の部材が、前記カバー部材の所定部位を覆うように重合することを特徴とする請求項１乃至請求項７の何れか１項に記載の遊技機の基板ケース。
【発明の詳細な説明】
【技術分野】
【０００１】
本発明は、遊技機を制御する電子部品が実装された制御基板を収納するための基板ケースに関する。
【背景技術】
【０００２】
従来、パチンコ機等の遊技機においては、その盤面の裏面側に、遊技の制御を行なう制御基板を収容した基板ケースが設置されている。例えばパチンコ機の場合、制御基板には遊技全体のメイン制御を行なう主制御装置や球払出装置を制御する払出制御装置等の制御回路を構成するＩＣや抵抗等の各種電子部品が実装されており、基板ケースはこの制御基板を外部から保護する役割をしている。
【０００３】
しかしながら、このようなパチンコ機が設置されたホールにて、主制御装置が大当り等を判定するためのプログラムが記憶されたＲＯＭが不正に交換され、ホールが多大な損害を被るといった問題が生じていた。このため、近年ではこうした不正行為を防止するために、この基板ケースに封止部を設け、不正に開封されることを防止する技術が採用されている。具体的には、略箱状に形成された基板ケースのベース部材又は蓋部材に各種電子部品が実装された基板をネジ止めした後、蓋部材にて覆い、封止部にて封止する構造を採っており、封止部を破壊してＲＯＭを不正に交換しようとすると、その痕跡が必ず残るようになっている。なお、パチンコ機の基板ケースは、製造後にこの封止部を用いて一旦封止されるが、警察等の機関によってその開封を要求されることがあるため、複数回封止可能となっている。
【０００４】
また基板ケースには、ベース部材と蓋部材とに跨って封印シールが貼付されるようになっており、上記のように封止部を破壊して基板ケースを不正に開放しようとすると、封印シールが破損してその痕跡が必ず残るようになっている。つまり、基板ケースには、封止部と封印シールとで二重の不正対策が施されている。
【０００５】
ところが、封印シールは、細かい切り込みが設けられるなど、剥がそうとすると破損してその痕跡が残るようになっているものの、あくまでも粘着剤によって基板ケースに貼付されているだけなので、特殊な道具や化学薬品等を用いて封印シールを痕跡を残さず剥がして再度基板ケースに貼付するという不正行為が考えられる。そこで、このような不正行為に対処するため、基板ケースに貼付した封印シールを包囲するキャップを基板ケースに取り付け、封印シールを保護する技術（以下、従来技術という）が提案されている（例えば、特許文献１参照）。
【先行技術文献】
【特許文献】
【０００６】
【特許文献１】特開２０１０−１６７１２４号公報
【発明の概要】
【発明が解決しようとする課題】
【０００７】
しかしながら、上記した従来技術は、確かにキャップを基板ケースから取り外したときに封印シールが破断してその痕跡が必ず残るように構成されているが、キャップは基板ケースに着脱容易に設けられている。従ってこのような従来技術においては、封印シールの破断という痕跡は残るものの、基板ケースが短時間に開放され、制御基板が容易に交換されてしまうという問題点を解消するには不十分である。
【０００８】
本発明は、上記した課題を解決するためになされたもので、その目的とするところは、痕跡を残すことなく封印シールを剥がし取ることを防止すると共に、容易に開放され難くすることで、開放までの時間を長くしてＲＯＭなどの電子部品が実装された制御基板に対して不正行為が行われることを防止することのできる遊技機の基板ケースを提供することにある。
【課題を解決するための手段】
【０００９】
この様な問題を解決するために、本発明の遊技機の基板ケースは、請求項１に記載したように、遊技機に取り付けられるベース体と、該ベース体に蓋をする蓋体とを備え、遊技の制御を行うための電子部品が実装された制御基板を収容する遊技機の基板ケースであって、前記蓋体は、前記ベース体に対して所定の移動をすることによって、該ベース体に重合又は離脱され、前記重合されたベース体と蓋体との所定部位に跨って貼付される封印シールと、少なくとも前記封印シールを覆うカバー部材と、を備え、前記カバー部材は、前記重合されたベース体又は蓋体に所定の手段で固定されると共に、該ベース体又は蓋体に固定された状態では、該蓋体の該ベース体に対する離脱の移動ができないようにすることを要旨とする。
【００１０】
また、請求項２に記載の遊技機の基板ケースは、請求項１に記載の遊技機の基板ケースにおいて、前記重合されたベース体と蓋体とを互いに離脱困難にする封止部を備え、
前記カバー部材は、透明な材料にて形成されていることを要旨とする。
【００１１】
また、請求項３に記載の遊技機の基板ケースは、請求項２に記載の遊技機の基板ケースにおいて、前記カバー部材は、前記封止部を覆うように形成されていることを要旨とする。
【００１２】
また、請求項４に記載の遊技機の基板ケースは、請求項１乃至請求項３の何れか１項に記載の遊技機の基板ケースにおいて、前記蓋体は、前記ベース体に対してスライドすることによって、該ベース体に重合又は離脱され、前記カバー部材は、前記重合されたベース体と蓋体の両者に固定されることにより、該蓋体の該ベース体に対するスライドができないようにしたことを要旨とする。
【００１３】
また、請求項５に記載の遊技機の基板ケースは、請求項１乃至請求項３の何れか１項に記載の遊技機の基板ケースにおいて、前記蓋体は、前記ベース体に対してスライドすることによって、該ベース体に重合又は離脱され、前記カバー部材は、前記ベース体に固定された状態ではその所定部位を前記重合された蓋体の所定部位に係合させることにより、又は、前記蓋体に固定された状態ではその所定部位を前記重合されたベース体の所定部位に係合させることにより、該蓋体の該ベース体に対するスライドができないようにしたことを要旨とする。
【００１４】
また、請求項６に記載の遊技機の基板ケースは、請求項１乃至請求項５の何れか１項に記載の遊技機の基板ケースにおいて、前記カバー部材は、封止部材により前記重合されたベース体又は蓋体に固定されていることを要旨とする。
【００１５】
また、請求項７に記載の遊技機の基板ケースは、請求項１乃至請求項６の何れか１項に記載の遊技機の基板ケースにおいて、前記カバー部材は、その形状が、前記重合されたベース体と蓋体の該カバー部材と係合する部位の形状とほぼ一致するように形成されていることを要旨とする。
【００１６】
また、請求項８に記載の遊技機の基板ケースは、請求項１乃至請求項７の何れか１項に記載の遊技機の基板ケースにおいて、前記基板ケースが前記遊技機に装着された状態では
、該遊技機の他の部材が、前記カバー部材の所定部位を覆うように重合することを要旨とする。
【発明の効果】
【００１７】
請求項１の遊技機の基板ケースは、電子部品が実装された制御基板を、遊技機に取り付けられるベース体と、このベース体に蓋をする蓋体とにより収容する。蓋体は、ベース体に対して所定の移動をすることによって、ベース体に重合又は離脱され、重合されたベース体と蓋体との所定部位には、封印シールが跨って貼付される。また、本発明の遊技機の基板ケースは、少なくとも封印シールを覆うカバー部材を備えており、このカバー部材は、重合されたベース体又は蓋体に所定の手段で固定される。そして、カバー部材は、カバー部材がベース体又は蓋体に固定された状態では、蓋体のベース体に対する離脱の移動ができないようにする。
【００１８】
従ってこの様に構成される本発明の遊技機の基板ケースにおいては、カバー部材を取り外さなければ、蓋体をベース体に対して所定の移動をさせて基板ケースを開放することができないので、その結果、基板ケースの開放に時間がかかり、基板ケースを不正に開放する行為が困難になる。また、何らかの原因で、基板ケースが不本意に開放してしまうということも防止できる。
【００１９】
また、本発明では、カバー部材が封印シールを露出しないように覆って保護しているので、特殊な道具や化学薬品等を用いて封印シールを痕跡を残さず剥がして再度貼付するという不正を行うには、カバー部材を取り外さなければならず、従って、封印シールに対する不正に要する時間が、通常よりもカバー部材を取り外す時間だけ長くなり、その結果、封印シールに対する不正行為が困難になる。
【００２０】
請求項２の遊技機の基板ケースは、重合されたベース体と蓋体とを互いに離脱困難にする封止部を備えており、さらにカバー部材は、透明な材料にて形成されている。なお、重合されたベース体と蓋体とを互いに離脱困難にする封止部とは、封止部を破壊しないと重合されたベース体と蓋体とを離脱できないようにする部材である。従って、本発明の遊技機の基板ケースによれば、重合されたベース体と蓋体とは、封止部により離脱困難になっているので、その結果、基板ケースの開放に時間がかかり、基板ケースを不正に開放する行為が困難になる。さらに、カバー部材は、透明な材料にて形成されているので、封印シールは、外部から視認可能になり、封印シールの破損等、基板ケースに対する不正の痕跡を容易に発見することができる。
【００２１】
請求項３の遊技機の基板ケースは、カバー部材は、重合されたベース体と蓋体とを互いに離脱困難にしている封止部を覆うように形成されている。つまり、カバー部材は、基板ケースの封止部を露出しないように覆って保護している。従って、基板ケースを不正に開放しようとすると、まず、カバー部材を取り外し、その後、封止部を解除する必要がある。その結果、基板ケースを不正に開放するのに要する時間が、通常よりもカバー部材を取り外す時間だけ長くなり、基板ケースを不正に開放する行為が困難になる。
【００２２】
ここで、蓋体がベース体に対して所定の移動をする態様及びカバー部材の蓋体のベース体に対する離脱の移動ができないようにする態様としては、次のようなものが考えられる。即ち、請求項４の遊技機の基板ケースは、蓋体は、ベース体に対してスライドすることによって、ベース体に重合又は離脱する。そして、カバー部材を重合されたベースと蓋体との両者に固定することにより、蓋体のベース体に対するスライドができないようにする。従って、本発明の遊技機の基板ケースによれば、カバー部材を、重合されたベース体と蓋体の両者に固定することで、蓋体のベース体に対する離脱の移動を防止することが容易に実現できる。
【００２３】
或いは、請求項４の発明に変えて、次のようにしてもよい。即ち、請求項５の遊技機の基板ケースは、蓋体は、ベース体に対してスライドすることによって、ベース体に重合又は離脱する。そして、カバー部材は、ベース体に固定された状態ではその所定部位を重合された蓋体の所定部位に係合させることにより、又は、蓋体に固定された状態ではその所定部位を重合されたベース体の所定部位に係合させることにより、蓋体のベース体に対するスライドができないようにする。従って、本発明の遊技機の基板ケースによれば、カバー部材を重合されたベース体に固定し、カバー部材の所定部位を重合された蓋体の所定部位に係合することで、或いは、カバー部材を重合された蓋体に固定し、カバー部材の所定部位を重合されたベース体の所定部位に係合することで、蓋体のベース体に対するスライドを防止することが容易に実現できる。なお、カバー部材の蓋体のベース体に対する離脱の移動ができないようにする態様は、請求項４と請求項５の両者の態様を同時に備えるようにしてもよい。
【００２４】
請求項６の遊技機の基板ケースは、カバー部材は、封止部材により重合されたベース体又は蓋体に固定されている。つまり、カバー部材は、基板ケースを封止するように、封止部材にて重合されたベース体又は蓋体に固定されている。従って、基板ケースを不正に開放しようとすると、カバー部材による基板ケースの封止を解除する必要がある。その結果、基板ケースを不正に開放するのに要する時間が、通常よりもカバー部材による基板ケースの封止を解除する時間だけ長くなり、基板ケースを不正に開放する行為が困難になる。また、基板ケースを不正に開放しようとすると、カバー部材による基板ケースの封止を解除するときにも痕跡が残るので、基板ケースに対する不正行為のあったことが、さらに容易に発見できる。
【００２５】
請求項７の遊技機の基板ケースは、カバー部材は、その形状が、重合されたベース体と蓋体のカバー部材と係合する部位の形状とほぼ一致するように形成されている。つまり、基板ケースは、カバー部材が取り付けられた状態と取り外された状態とで、その大きさはほとんど変わらないように形成されている。遊技機における基板ケースの周囲には、様々な部品や装置等が設けられ、余分なスペースはほとんどなく、従って、基板ケースにカバー部材を取り付けて、基板ケースに対する不正行為を防止するようにしても、遊技機の貴重なスペースを余分にとる必要はなく、その結果、遊技機の設計等に支障することがない。
【００２６】
請求項８の遊技機の基板ケースは、基板ケースが遊技機に装着された状態では、遊技機の他の部材が、カバー部材の所定部位を覆うように重合している。従って、基板ケースを不正に開放しようとすると、まず、遊技機の他の部材を支障のない位置まで開放もしくは取り外さなければならず、その結果、基板ケースの開放に時間がかかり、基板ケースを不正に開放する行為が困難になる。
【００２７】
次に特許請求の範囲の構成と、本発明の実施形態との主な対応を説明する。
遊技機は、パチンコ機９６に相当し、ベース体は、ベース体３に相当し、蓋体は、蓋体５に相当し、基板ケースは、基板ケース１に相当し、所定部位は、シール貼付面１０、シール貼付面２２に相当し、封印シールは、封印シール４５に相当し、カバー部材は、保護カバー７に相当し、封止部は、固定部材５０、リング１７、筒状部材１４、３４に相当し、封止部材は、筒状部材６９、ボス４６ｂ、ワンウェイビス７３に相当し、他の部材は、裏カバー９７に相当する。
【図面の簡単な説明】
【００２８】
【図１】本実施形態に係わる基板ケース１が設けられたパチンコ機９６背面側の全体斜視図である。
【図２】本実施形態に係わるパチンコ機９６の部分背面図である。
【図３】本実施形態に係わる基板ケース１の分解斜視図である。
【図４】本実施形態に係わる基板ケース１の３面図（正面図、平面図、右側面図）である。
【図５】本実施形態に係わる基板ケース１のＡ−Ａ断面における断面図である。
【図６】本実施形態に係わる保護カバー７の全体斜視図である。
【図７】本実施形態に係わる保護カバー７の３面図（正面図、平面図、右側面図）である。
【図８】本実施形態に係わる保護カバー７を取り外したときの基板ケース１の正面図、背面図及び基板ケース１の封止を解除したときの状態を示す説明図である。
【図９】本実施形態に係わる基板ケース１を封止するときの状態を示す説明図である。
【図１０】本実施形態に係わる基板ケース１のＢ−Ｂ断面におけるスライド固定部９とスライド固定部２９とを係合するときの状態を示す模式図である。
【図１１】本実施形態に係わる固定部材５０を示す説明図である。
【図１２】本実施形態に係わる基板ケース１のＣ−Ｃ断面におけるベース体３と蓋体５とを固定して基板ケース１を封止するときの状態を示す説明図である。
【図１３】本実施形態に係わる封印シール４５の構成を示す説明図である。
【図１４】本実施形態に係わる保護カバー７を取り付けたときの基板ケース１の正面図及び基板ケース１の封止を解除したときの状態を示す説明図である。
【図１５】本実施形態に係わる保護カバー７を基板ケース１から取り外すときの状態を示す説明図である。
【図１６】他の実施形態に係わる保護カバー７の正面図である。
【発明を実施するための形態】
【００２９】
１．基板ケース１のパチンコ機９６への装着状態
以下に、本発明を実施するための形態を図を用いて説明する。図１は、本発明を適用した基板ケース１が設けられたパチンコ機９６背面側の全体斜視図、図２は、パチンコ機９６の部分背面図である。基板ケース１は、図１、図２に示すように、パチンコ機９６背面の略中央に取り付けられており、その内部に遊技全体のメイン制御を行うためのＩＣや抵抗等の各種電子部品が実装された制御基板（図示省略）が設けられている。
【００３０】
基板ケース１は、後述のベース体３に設けられた一対のヒンジ１１と係合片１２とでパチンコ機９６に対して回動可能に、且つ着脱自在に装着されている。また、パチンコ機９６の背面側には、裏カバー９７が設けられており、この裏カバー９７は、一対のヒンジ９８と係合片９９とでパチンコ機９６に対して回動可能に、且つ着脱自在に装着されている。つまり、基板ケース１と裏カバー９７とは、パチンコ機９６に対してそれぞれ反対向きに回動するようになっていると共に、着脱自在になっている。
【００３１】
裏カバー９７は、図１、図２に示すように、パチンコ機９６背面側から見て、裏カバー９７の右側下端部が、基板ケース１の後述する保護カバー７の右側上端部に上から重なるように設けられており、即ち、基板ケース１と裏カバー９７とは、この領域で当接している。従って、基板ケース１を開放したり取り外したりするときには、裏カバー９７を回動しなければならず、これにより基板ケース１を不正に開放する行為を困難にしている。なお、裏カバー９７は、透明な材料（合成樹脂等）にて形成されているので、重なった基板ケース１の領域は、パチンコ機９６背面側から視認可能である。また、裏カバー９７は、本実施形態では基板ケース１と当接するように設けたが、これは必ずしも当接する必要はなく、裏カバー９７と基板ケース１とは、所定間隔離して設けるようにしてもよい。要は、裏カバー９７を回動しなければ、基板ケース１を開放したり取り外したりすることが困難なようにすればよい。
【００３２】
２．基板ケース１の構成
基板ケース１の構成を図３〜図９に基づいて説明する。図３は、基板ケース１の分解斜視図であり、図４は、基板ケース１の３面図（正面図、平面図、右側面図）であり、図５は、基板ケース１のＡ−Ａ断面における断面図であり、図６は、保護カバー７の全体斜視図であり、図７は、保護カバー７の３面図（正面図、平面図、右側面図）であり、図８は、保護カバー７を取り外したときの基板ケース１の正面図、背面図及び基板ケース１の封止を解除したときの状態を示す説明図であり、図９は、基板ケース１を封止するときの状態を示す説明図である。なお、基板ケース１は、図２に示すパチンコ機９６の背面側から視た場合を正面として説明する。
【００３３】
基板ケース１は、上記したように、パチンコ機９６の制御基板を収容して保護するためのケースであって略直方体の形状を有しており、大別すると、ベース体３と、蓋体５と、保護カバー７とから構成されている。まず、ベース体３は、図３、図８に示すように、略平板状に透明な材料（合成樹脂等）にて形成され、その中央には矩形平板状のベース板１３が形成されベース体３の大部分を占めている。ベース体３の上下両端にはスライド固定部９が形成されている。このスライド固定部９は、後述する蓋体５のスライド固定部２９と係合して、ベース体３と蓋体５とを重合する部材である。なお、スライド固定部９の詳細な構成については後述する。また、ベース体３の左端のやや下方には、係合片１９が形成されており、この係合片１９は、スライド固定部９と同様、後述する蓋体５の係合片２１と係合してベース体３と蓋体５とを重合する部材である。また、ベース体３の上下両端の右端には、後述する保護カバー７を係止するためのコ字状に切り欠かれた係止部８が形成されている。
【００３４】
ベース体３の左右両端には、ベース体３と蓋体５とを接続固定して基板ケース１を封止するための筒状部材１４が、対角線状にそれぞれ２個ずつ連設されている。筒状部材１４は、図８（Ｃ）、（Ｄ）に示すように、四角く区画された収納空間１６の略中央に配置され、一対の支持腕１５によって、その左右両側部が支持されてベース体３に接続されている。支持腕１５は、基板ケース１を組み付けた後の状態では、基板ケース１の背面側から視ると、その底面が露出するようになっている。また、筒状部材１４の内部には、図３に示すように、後述する固定部材５０を構成するカシメピン２８を係止するリング１７が装着されている。なお、筒状部材１４及びリング１７の構成については後に詳述する。
【００３５】
ベース体３右側面の上部（右の筒状部材１４の上方）には、後述の封印シール４５が貼付される平板凸状のシール貼付面１０が手前側に垂設されており、このシール貼付面１０は、ベース体３と蓋体５とを組み付けたとき、図９（Ｂ）に示すように、後述するシール貼付面２２と僅かな長溝状の間隙２０を持って、略逆Ｌ字状に直角になるよう形成されている。
【００３６】
ベース体３左端の中央部と下部には、一対のヒンジ１１が設けられ、ベース体３右端の中央やや下側には、係合片１２が設けられている。このヒンジ１１と係合片１２とにより、基板ケース１はパチンコ機９６に対して回動可能に装着される。
【００３７】
一方、ベース体３に蓋をする蓋体５は、図３に示すように、略平板状に透明な材料（合成樹脂等）にて形成され、その上下両端にはスライド固定部２９が形成されている。このスライド固定部２９は、上記したように、ベース体３のスライド固定部９と係合して、ベース体３と蓋体５とを重合する部材である。なお、スライド固定部２９の詳細な構成については後述する。また、蓋体５の左端のやや下方には、前記係合片１９と対向する位置に係合片２１が形成されており、この係合片２１は、スライド固定部２９と同様、ベース体３の係合片１９と係合してベース体３と蓋体５とを重合する部材である。
【００３８】
蓋体５の中央部には、蓋体５の大部分を占める略矩形箱状の基板装着部２４が前記ベース板１３と対向するように形成され、制御基板は、図示していないが、基板装着部２４の内側に設けられた台座部に、ネジで固定されるようになっており、つまり制御基板は、蓋体５側に取り付けられる。また、基板装着部２４と上方のスライド固定部２９との間の箇所には、パチンコ機９６毎に形状の異なる制御基板の端子を保護する端子カバー２５が、着脱自在に蓋体５に取り付けられる。
【００３９】
蓋体５の左右両端には、ベース体３の筒状部材１４に対向するように筒状部材３４が設けられており、この筒状部材３４は、図３に示すように、四角く区画された収納空間３６の略中央に配置され、図８（Ａ）、（Ｂ）に示すように、支持腕３５によって、その一側部（左に位置する筒状部材３４は左側部、右に位置する筒状部材３４は右側部）が支持されて蓋体５に接続されている。なお、筒状部材３４の構成については後に詳述する。
【００４０】
図中、４０は、カシメカバーであり、このカシメカバー４０は、筒状部材３４（筒状部材１４）を覆うことが可能なように略矩形蓋状に形成されている。カシメカバー４０は、蓋体５に突設されたコ字状のガイド部材４１の内側に、その外壁面が当接するように嵌合された後、蓋体５の背面側からビス４２にて蓋体５に螺着される。なお、カシメカバー４０を蓋体５に装着した状態では、図８（Ａ）、（Ｂ）に示すように、支持腕３５前面の一部が露出するようになっている。また、カシメカバー４０は、透明な材料（合成樹脂等）にて形成されており、カシメカバー４０を蓋体５に装着した状態では、筒状部材３４（筒状部材１４）は外部から視認可能になっている。また、カシメカバー４０には、一対の孔４３が穿設され、この孔４３は、筒状部材３４（筒状部材１４）の中心に対向するように形成されている。これは、基板ケース１を封止するときに用いる後述する固定部材５０を構成するワンウェイビス２７を螺入するとき、専用工具をこの孔４３に挿入するためのものである。
【００４１】
蓋体５右側面の上部（右のカシメカバー４０の上方）には、平板状のシール貼付面２２が形成されており、このシール貼付面２２は、上記したように、ベース体３のシール貼付面１０とにより後述の封印シール４５が貼付される略逆Ｌ字状の直角面を形成する。
【００４２】
また、基板装着部２４の右端には、図３、図８正面図に示すように、一対のコ字状の切り欠き４７が設けられており、この切り欠き４７の中央にボス４６ａ、４６ｂが突設されている。つまり、ボス４６ａ、４６ｂの周囲には、切り欠き４７により所定の空間が形成される。ボス４６ａ、４６ｂは、後述する保護カバー７を蓋体５に取り付けるためのもので、特に下側に位置するボス４６ｂは、後述するワンウェイビス７３が螺入されるようになっている。
【００４３】
次に、保護カバー７は、透明な材料（合成樹脂等）にて形成され、図４、図５に示すように、肉厚が薄く形成され、その形状は、ベース体３と蓋体５とを組み付けたときの右端部の形状とほぼ一致するように形成されている。即ち、基板ケース１は、保護カバー７が取り付けられた状態と保護カバー７が取り外された状態とで、その大きさはほとんど変わらないようになっている。
【００４４】
保護カバー７は、図６、図７に示すように、前面板６１、側面板６２、上面板６３、下面板６４を有している。前面板６１は、その右上部に、蓋体５のシール貼付面２２と対向する平板状の封印シール保護板６５が形成され、この封印シール保護板６５は、図５に示すように、封印シール４５をシール貼付面２２とで挟み込むように保護している。前面板６１の封印シール保護板６５の略下方には、カシメカバー４０と対向する平板状の封止部保護板６７が形成され、この封止部保護板６７は、図５に示すように、カシメカバー４０
に当接するように設けられている。
【００４５】
前面板６１の左端のやや下部には、蓋体５のボス４６ｂと同軸状に筒状部材６９が設けられており、この筒状部材６９は、図７に示すように、蓋体５の切り欠き４７と対向するように設けられた切り欠き７０の略中央に配置され、一対の支持腕７１によって、その上下両側部が支持されて保護カバー７に接続されている。つまり、支持腕７１の背面側は、所定の空間が形成されている。また、前面板６１の筒状部材６９の上方には、蓋体５のボス４６ａと同軸状に孔７２が穿設されている。即ち、保護カバー７は、図３に示すように、筒状部材６９及び孔７２に後述するワンウェイビス７３及びビス７４を螺入することで蓋体５に取り付けられるようになっている。
【００４６】
また、前面板６１の上下端部には、平板６８が形成されており、この平板６８は、図５に示すように段差状に低い位置に形成され、保護カバー７が基板ケース１に取り付けられたときは、下端部の平板６８の一部が、下側のガイド部材４１の下端部に隣接しながら蓋体５の上面に当接するようになっている。また、前面板６１には、下端部の平板６８から上方に延びる規制板６６が垂設されており、この規制板６６は、保護カバー７が基板ケース１に取り付けられたときは、その下部が下側のガイド部材４１の左端部に当接するようになっている。この規制板６６により、保護カバー７が基板ケース１に取り付けられたとき、ベース体３と蓋体５とのスライドを規制する。
【００４７】
保護カバー７の側面板６２は、その上部に、ベース体３のシール貼付面１０と対向する平板状の封印シール保護板７６が形成され、この封印シール保護板７６は、封印シール４５をシール貼付面１０とで挟み込むように保護している。つまり、前面板６１の封印シール保護板６５は、蓋体５に貼付された封印シール４５を保護し、側面板６２の封印シール保護板７６は、ベース体３に貼付された封印シール４５を保護している。また、側面板６２の封印シール保護板７６の下方には、ベース体３の係合片１２を露出させるためのコ字状の切り欠き７７が形成されている。
【００４８】
保護カバー７の上面板６３及び下面板６４は、２本のスリット７５によりそれぞれ対称状に形成される一対の係止片７９を有しており、この係止片７９先端に形成される爪８０がベース体３の係止部８に弾性変形しながら係合することで、保護カバー７はベース体３にワンタッチで固定される。即ち、保護カバー７は、前面板６１に形成された筒状部材６９及び孔７２と、上面板６３及び下面板６４に形成された係止片７９とによって、基板ケース１に強固に固定されるようになっている。
【００４９】
３．基板ケース１の組立
次に、基板ケース１におけるベース体３と蓋体５との組み付けについて説明する。ベース体３と蓋体５との組み付けの際には、上述のように制御基板が取り付けられた蓋体５を、ベース体３に組み付ける。ベース体３に対する蓋体５の組み付けは、ベース体３に設けられたスライド固定部９と、蓋体５に設けられたスライド固定部２９とを係合させることにより行う。
【００５０】
ここで、図８、図１０を参照しながら、ベース体３のスライド固定部９と、蓋体５のスライド固定部２９の構成について説明する。なお、図１０は、基板ケース１のＢ−Ｂ断面におけるスライド固定部９とスライド固定部２９とを係合するときの状態を示す模式図である。まず、スライド固定部２９は、図１０において、段差状に設けられたガイド片８１と、ガイド片８１の右端に設けられた先端８３と、先端８３の左側にガイド片８１から上方に突出するように設けられたストッパ片８２と、ガイド片８１とストッパ片８２とで形成される溝８４とを備えている。スライド固定部２９は、これらガイド片８１、ストッパ片８２、先端８３、溝８４を一組として蓋体５の上下両端に、図８に示すように、複数組
ずつ形成されている。なお、図１０においては、説明便宜のため、ガイド片８１、ストッパ片８２、先端８３、溝８４を三組示し、スライド固定部９は黒に、スライド固定部２９は白に表示し、それら以外の構成を省略している。
【００５１】
次に、スライド固定部９は、図１０において、段差状に設けられた受板９１と、受板９１の左側に設けられた覆板９２と、覆板９２の左端に設けられた先端９３と、受板９１と覆板９２とで形成される溝９４とを備えている。スライド固定部９は、これら受板９１、覆板９２、先端９３、溝９４を一組としてベース体３の上下両端に、図８に示すように、スライド固定部２９と対応するように複数組ずつ形成されている。なお、図１０においては、説明の便宜のため、受板９１、覆板９２、先端９３、溝９４を三組示し、スライド固定部９以外の構成を省略している。
【００５２】
このように構成されたスライド固定部９とスライド固定部２９とを係合させるには、まず、図１０（Ａ）の矢印Ｖに示すように、上方からガイド片８１を受板９１に重合させる。この際、ガイド片８１の下段は、受板９１の下段よりも若干短く形成されているので、隣接する受板９１の覆板９２同士で形成される空間にガイド片８１の下段を容易に挿入することができる。なお、図１０（Ｂ）は、ガイド片８１を受板９１に重合させたときの状態を示している。
【００５３】
そして、この状態から図１０（Ｂ）の矢印Ｈに示すように、右方向に蓋体５をベース体３に対してスライドさせ、スライド固定部９とスライド固定部２９とを係合させる。なお、図１０（Ｃ）は、スライド固定部９とスライド固定部２９とが係合したときの状態を示している。図１０（Ｃ）に示すように、スライド固定部２９を右方向にスライドさせると、ストッパ片８２が先端９３に当接しスライド固定部９とスライド固定部２９とは係合する。この際、溝８４は覆板９２により閉塞され、溝９４はガイド片８１（ストッパ片８２の右側部分）により閉塞されるようになっている。なお、スライド固定部９とスライド固定部２９とが係合すると、同時に、ベース体３の係合片１９と蓋体５の係合片２１も係合し、ベース体３と蓋体５とは重合する。
【００５４】
スライド固定部９とスライド固定部２９とを係合させてベース体３と蓋体５とを重合したら、次に、ベース体３と蓋体５とを固定して基板ケース１を封止する。ここで、ベース体３と蓋体５とを封止する際に使用される固定部材５０について図１１を用いて説明する。図１１は、固定部材５０を示す説明図である。固定部材５０は、図１１に示すように、ワンウェイビス２７とカシメピン２８とで構成されており、カシメピン２８は、下方にやや縮径した円柱状の本体５１の上端部にフランジ状の係止部５２が形成され、その中央から下端にかけて軸線に沿った所定幅のスリット５３が形成されている。このため、カシメピン２８の下部はスリット５３の幅方向に所定量弾性変形できるようになっている。
【００５５】
また、本体５１の下端には、外径方向に突出した逆止片５４が一対設けられている。この逆止片５４は、カシメピン２８の下端側から上方に向かってその断面が大きくなるテーパ状に形成され、その下端部が挿入部５４ａを、上端部が係止部５４ｂをそれぞれ形成している。
【００５６】
また、ワンウェイビス２７は、カシメピン２８の上端部にワッシャ５５を介して螺入されている。このワッシャ５５には、その外径が係止部５２の上端面の外径と同一のものが使用されているため、カシメピン２８の係止部５２の表面は、金属部材により覆われるようになっている。なお、このワンウェイビス２７は、周知のように、締結方向にのみ回動可能に構成されたネジであり、一旦係止部５２に螺入されると、工具を用いてこれをリバースさせることは極めて困難となる。
【００５７】
そして、ベース体３と蓋体５とを固定するには、このように構成された固定部材５０を筒状部材１４、３４に固定することにより行う。ここで、基板ケース１の封止構造について図９、図１２を用いて説明する。なお、図１２は、基板ケース１のＣ−Ｃ断面におけるベース体３と蓋体５とを固定して基板ケース１を封止するときの状態を示す説明図である。なお、図１２においては、説明便宜のため、固定部材５０、リング１７、筒状部材１４、３４の構成のみを示し、固定部材５０の断面線は省略して表示している。蓋体５に設けられた筒状部材３４は、筒状に形成された筒状部５６と、筒状部５６の内径が小径化された段差部５７とを有している。また、ベース体３に設けられた筒状部材１４は、蓋体５側を開口部とする有底筒状に形成されている。
【００５８】
これら筒状部材１４、３４の間には、図１２に示すように、リング１７が同軸状に装着される。このリング１７は、固定部材５０の逆止片５４を係止するためのものであり、その外径がベース体３の筒状部材１４における内径に一致し、その内径が蓋体５の筒状部材３４における段差部５７の内径にほぼ一致する筒状体からなる。また、このリング１７は、この一端に設けられたフランジ部５８を備え、このフランジ部５８がベース体３の筒状部材１４に接着されて固定される。そして、ベース体３に蓋体５が組み付けられた際には、各筒状部材１４、３４が同軸状に配置されて、筒状部材１４、３４及びリング１７により連通孔５９が形成される。
【００５９】
固定部材５０は、図１２（Ａ）に示すように、その逆止片５４が蓋体５の筒状部材３４における段差部５７に支持され、係止部５２が筒状部５６の内壁に支持される態様で、筒状部材３４内部の連通孔５９上方に形成される待機空間６０に一時的に保持される。
【００６０】
そして、ベース体３と蓋体５とを封止の際には、ベース体３と蓋体５とが組み付けられた重合状態において、図９（Ａ）、（Ｂ）の矢印Ａ、Ｂに示すように、所定の棒状の専用工具をカシメカバー４０の孔４３に挿通し、上述した待機空間６０にて待機状態にある固定部材５０（ワンウェイビス２７）を押圧して、これを連通孔５９内に挿入する。すると、図１２（Ｂ）に示すように、固定部材５０が連通孔５９内に挿通される。
【００６１】
このとき、固定部材５０の逆止片５４がリング１７の端面に、係止部５２が蓋体５の筒状部材３４における段差部５７にそれぞれ係止されることにより、固定部材５０がベース体３と蓋体５とを挟持する態様でこれらを互いに固定して基板ケース１を封止する。固定部材５０が連通孔５９に挿入される際には、挿入部５４ａがテーパ状になっており、且つスリット５３が形成されていることから、固定部材５０がその下部で撓みながら連通孔５９内にスムーズに挿入される。そして、逆止片５４が連通孔５９を貫通すると、固定部材５０の下端部が弾性復帰して係止部５４ｂが係止されるため、固定部材５０を挿入方向とは逆方向に引き抜くことは困難となる。
【００６２】
なお、この封止作業においては、左右に二対（計４個）配設された固定部材５０のうち、左右対称に配置された一対（カシメカバー４０に印字された数字の１同士または２同士の固定部材５０）が使用されるため、本実施形態の場合、遊技機の出荷時を含めて計２回の封止が可能となっている。
【００６３】
このように、ベース体３と蓋体５とを固定して基板ケース１を封止したら、次に封印シール４５を貼付する。ここで、封印シール４５の構成について図１３を用いて説明する。なお、図１３は、封印シール４５の構成を示す説明図である。封印シール４５は、図１３（Ａ）に示すように、略矩形状に形成され、図１３（Ｂ）に示すように、接着剤で形成された粘着層８５、特殊紙からなる基材８６を積層した構造を有している。また、貼付前の状態では、粘着層８５に剥離紙８７が付されており、この剥離紙８７は、封印シール４５を貼付するときに除去されるようになっている。
【００６４】
図１３（Ａ）に示すように、封印シール４５は、その１対角線の全体にわたって、インレット８８が組み込まれている。インレット８８の内部には、図示しないＩＣタグのミューチップ（超小型無線認識用ＩＣチップ）と外部アンテナが収容されている。また、インレット８８には、複数の切り込み８８ａが形成されている。そのため、封印シール４５を剥がそうとして、インレット８８に力が加わると、インレット８８は切り込み８８ａの部分で容易に切断される。インレット８８が切断されると、その中の外部アンテナも切断されてしまい、ＩＣタグは機能しなくなる。つまり、封印シール４５が破損すると、ＩＣタグリーダーにて封印シール４５に書き込まれたＩＤを読み取ることはできなくなる。
【００６５】
図１３（Ａ）に示すように、粘着層８５及び基材８６にも、切り込み８９が形成されており、封印シール４５を剥がそうとして力が加わったとき、封印シール４５は、この切り込み８９の部分で容易に破れる。また、図１３（Ａ）に示すように、封印シール４５の周囲は波形に加工されている。そのため、封印シール４５を剥がそうとして力が加わったとき、封印シール４５は、この波形における谷の部分で容易に破れるようになっている。また、封印シール４５は、一旦貼付した後に剥がすと、粘着層８５及び基材８６の一部が分離し、その分離した部分は基板ケース１側に残るようになっている。
【００６６】
このように構成される封印シール４５は、上述したベース体３右側面の上部のシール貼付面１０と、このシール貼付面１０と僅かな間隙２０を持って略逆Ｌ字状に直角に配置される蓋体５のシール貼付面２２とに跨って、即ちケース本体３と蓋体５とに跨って図４に示すように貼付する。ケース本体３と蓋体５とに跨って封印シール４５を貼付することで、基板ケース１は封止される。
【００６７】
基板ケース１に封印シール４５を貼付したら、次に保護カバー７を基板ケース１に組み付ける。基板ケース１に対する保護カバー７の固定は、まず、保護カバー７を基板ケース１の右端部に、保護カバー７の側面板６２、上面板６３及び下面板６４が基板ケース１に当接するように宛がい、保護カバー７を基板ケース１側に押圧する。すると、保護カバー７の係止片７９が、スリット７５により基板ケース１の外側に弾性変形しながら移動し、係止片７９が基板ケース１の係止部８に到達すると、前面板６１が基板ケース１に当接すると共に、係止片７９が弾性復帰して爪８０が係止部８に係合する。これにより、保護カバー７は基板ケース１にワンタッチで固定される。
【００６８】
このように保護カバー７を基板ケース１に固定すると、保護カバー７の筒状部材６９及び孔７２は、基板ケース１のボス４６ｂ及びボス４６ａと同軸状に位置される。そして、筒状部材６９とボス４６ｂとに上述したようなワンウェイビス７３を、図９（Ｃ）の矢印Ｃに示すように、専用工具にて螺入し、孔７２とボス４６ａとにビス７４を螺入することで保護カバー７を強固に基板ケース１に取り付け、基板ケース１を封止する。
【００６９】
保護カバー７が基板ケース１に取り付けられた状態では、図４、図５に示すように、保護カバー７は、基板ケース１の右端部の形状とほぼ一致し、保護カバー７の封印シール保護板６５が封印シール４５を基板ケース１のシール貼付面２２とで挟み込むように保護すると共に、保護カバー７の封印シール保護板７６が封印シール４５を基板ケース１のシール貼付面１０とで挟み込むように保護するようになっている。また、保護カバー７の封止部保護板６７が基板ケース１のカシメカバー４０に当接し、基板ケース１を封止する固定部材５０及び筒状部材１４、３４を保護するようになっている。
【００７０】
さらに、保護カバー７の規制板６６が下側のガイド部材４１に当接し、ベース体３と蓋体５とのスライドを規制、即ち、ベース体３のスライド固定部９と蓋体５のスライド固定部２９との係合が解除されないように規制する。つまり、保護カバー７が基板ケース１に
取り付けられた状態では、保護カバー７は、係止片７９がベース体３の係止部８に係合してベース体３に固定されているので、この状態で、ベース体３に対して蓋体５を左方にスライドさせて、基板ケース１を開放しようとしても、蓋体５が規制板６６に引っ掛かり、従って、ベース体３に対して蓋体５をスライドさせることはできない。これは、仮に、保護カバー７にワンウェイビス７３及びビス７４が螺入されていない状態であっても、同様である。即ち、本実施形態の基板ケース１は、保護カバー７が取り付けられている状態では、ベース体３と蓋体５とのスライドを規制し、基板ケース１の開放を防止する。
【００７１】
４．基板ケース１の封止解除
パチンコ機９６に取り付けられた基板ケース１の封止状態を解除するには、まず、保護カバー７の右側上端部に重合している裏カバー９７を回動して、基板ケース１全体を露出させる。そして、図１４に示すように、保護カバー７の一対の支持腕７１（図１４（Ａ）における斜線部分）を、ニッパ等の工具により切断する。なお、図１４は、保護カバー７を取り付けたときの基板ケース１の正面図及び基板ケース１の封止を解除したときの状態を示す説明図である。ニッパ等の工具は、保護カバー７の切り欠き７０と蓋体５の切り欠き４７とにより形成されている空間により、刃先をこの空間に挿入して容易に支持腕７１を切断することができる。支持腕７１を切断すると、保護カバー７から筒状部材６９は分離され、この分離された筒状部材６９は、ワンウェイビス７３によって蓋体５にのみ取り付けられている状態となる。
【００７２】
支持腕７１を切断したら、次に、ビス７４をドライバ等の工具で取り外す。なお、ビス７４を取り外してから支持腕７１を切断するように順序を変えてもよい。そして、次に、保護カバー７の係止片７９とベース体３の係止部８との係合状態を解除することで、保護カバー７を基板ケース１から取り外す。この際、係止片７９の先端を基板ケース１の外側に軽く押圧するようにして係止片７９を撓ませながら、保護カバー７を、図１５に示す矢印Ｄのように、基板ケース１の正面側に引っ張るようにして、保護カバー７を基板ケース１から取り外す。なお、図１５は、保護カバー７を基板ケース１から取り外すときの状態を示す説明図である。
【００７３】
次に、図８（Ａ）、（Ｂ）に示すように、蓋体５のカシメカバー４０から露出している支持腕３５（図８（Ａ）、（Ｂ）における斜線部分）を、ニッパ等の工具により切断する。ニッパ等の工具は、蓋体５の収納空間３６により、刃先をこの空間に挿入して容易に支持腕３５を切断することができる。支持腕３５を切断すると、蓋体５から筒状部材３４は分離され、この分離された筒状部材３４は、固定部材５０によってベース体３にのみ取り付けられている状態となる。
【００７４】
この状態で、図２に示す係合片１２によるパチンコ機９６との係合を解除し、基板ケース１をヒンジ１１を軸として回動させて基板ケース１の背面側を露出させる。そして、図８（Ｃ）、（Ｄ）に示すように、ベース体３の支持腕１５（図８（Ｃ）、（Ｄ）における斜線部分）を、ニッパ等の工具により切断する。ニッパ等の工具は、ベース体３の収納空間１６により、刃先をこの空間に挿入して容易に支持腕１５を切断することができる。支持腕１５を切断すると、ベース体３から筒状部材１４は分離され、これにより、筒状部材１４、筒状部材３４、固定部材５０は、図１２（Ｂ）に示す状態のまま、基板ケース１から完全に分離して取り除かれる。
【００７５】
そして、ベース体３に対して蓋体５をスライドさせ、スライド固定部９とスライド固定部２９との係合を解除することで、ベース体３から蓋体５を離脱する。このとき、封印シール４５は破損し、これにより、基板ケース１の封止状態は完全に解除される。
【００７６】
なお、基板ケース１の封止解除は、保護カバー７の右側上端部に重合している裏カバー
９７を回動又は取り外し、基板ケース１をパチンコ機９６から取り外してから、上記に準じて、保護カバー７を基板ケース１から取り外した後、支持腕３５と支持腕１５を切断して行うようにしてもよい。
【００７７】
５．本実施形態における基板ケース１の効果
（１）保護カバー７は、保護カバー７の筒状部材６９と蓋体５のボス４６ｂとにワンウェイビス７３を螺入し、保護カバー７の孔７２と蓋体５のボス４６ａとにビス７４を螺入することで蓋体５に取り付けられていると共に、保護カバー７の係止片７９がベース体３の係止部８と係合することでベース体３に取り付けられている。つまり、保護カバー７は、基板ケース１を封止するように、封止部材（筒状部材６９、ボス４６ｂ、ワンウェイビス７３）にて基板ケース１に取り付けられている。従って、基板ケース１を不正に開放しようとすると、この保護カバー７による基板ケース１の封止を解除すると共に、ベース体３と蓋体５とに設けられている封止部（固定部材５０、リング１７、筒状部材１４、３４）を解除する必要がある。その結果、基板ケース１を不正に開放するのに要する時間が、通常よりも保護カバー７による基板ケース１の封止を解除する時間だけ長くなり、基板ケース１を不正に開放する行為が困難になる。また、基板ケース１を不正に開放しようとすると、保護カバー７による基板ケース１の封止を解除するときに痕跡が残るので、基板ケース１に対する不正行為があったことを容易に発見できる。
【００７８】
（２）保護カバー７は、封印シール保護板６５が封印シール４５を蓋体５のシール貼付面２２とで挟み込むように保護すると共に、封印シール保護板７６が封印シール４５をベース体３のシール貼付面１０とで挟み込むように保護している。つまり、保護カバー７は、ベース体３と蓋体５とに跨って基板ケース１に貼付されている封印シール４５を露出しないように覆って保護している。そして、保護カバー７は、透明な材料にて形成されており、封印シール４５は、外部から視認可能になっている。従って、特殊な道具や化学薬品等を用いて封印シール４５を痕跡を残さず剥がして再度貼付するという不正を行うには、まず、保護カバー７による基板ケース１の封止を解除し、保護カバー７を基板ケース１から取り外す必要がある。その結果、封印シール４５に対する不正に要する時間が、通常よりも保護カバー７による基板ケース１の封止を解除する時間だけ長くなり、封印シール４５に対する不正行為が困難になる。また、封印シール４５に不正を行おうとすると、保護カバー７による基板ケース１の封止を解除するときに痕跡が残るので、基板ケース１に対する不正行為があったことを容易に発見できる。さらに、封印シール４５は、外部から視認可能になっているので、封印シール４５の破損等、基板ケース１に対する不正の痕跡を容易に発見できる。
【００７９】
（３）保護カバー７は、封止部保護板６７が蓋体５のカシメカバー４０に当接し、ベース体３と蓋体５とベース体３と蓋体５とに設けられている封止部（固定部材５０、リング１７、筒状部材１４、３４）を保護している。つまり、保護カバー７は、基板ケース１の封止部を露出しないように覆って保護している。そして、保護カバー７及びカシメカバー４０は、透明な材料にて形成されており、基板ケース１の封止部は、外部から視認可能になっている。従って、基板ケース１を不正に開放しようとすると、まず、この保護カバー７による基板ケース１の封止を解除し、その後、ベース体３と蓋体５とに設けられている封止部（固定部材５０、リング１７、筒状部材１４、３４）を解除する必要がある。その結果、基板ケース１を不正に開放するのに要する時間が、通常よりも保護カバー７による基板ケース１の封止を解除する時間だけ長くなり、基板ケース１を不正に開放する行為が困難になる。また、基板ケース１を不正に開放しようとすると、保護カバー７による基板ケース１の封止を解除するときに痕跡が残るので、基板ケース１に対する不正行為があったことを容易に発見できる。さらに、基板ケース１の封止部は、外部から視認可能になっているので、封止部の破損等、基板ケース１に対する不正の痕跡を容易に発見できる。
【００８０】
（４）保護カバー７は、ベース体３のスライド固定部９と蓋体５のスライド固定部２９とをスライドさせて係合することで、ベース体３と蓋体５とを組み付けてから、保護カバー７の筒状部材６９と蓋体５のボス４６ｂとにワンウェイビス７３を螺入し、保護カバー７の孔７２と蓋体５のボス４６ａとにビス７４を螺入することで蓋体５に取り付けられていると共に、保護カバー７の上下端部に設けられた係止片７９が、ベース体３の上下端部に設けられた係止部８と係合することでベース体３に取り付けられている。つまり、保護カバー７は、基板ケース１の右端部全体を覆うように、ベース体３と蓋体５とに強固に固着されている。さらに、保護カバー７の規制板６６が蓋体５の下側のガイド部材４１に当接するように係合し、ベース体３のスライド固定部９と蓋体５のスライド固定部２９との係合が解除されないように規制している。従って、保護カバー７を基板ケース１から取り外さなければ、ベース体３と蓋体５とをスライドさせて基板ケース１を開放することができないので、その結果、基板ケース１の開放に時間がかかり、基板ケース１を不正に開放する行為が困難になる。また、何らかの原因でベース体３と蓋体５とがスライドして、基板ケース１が不本意に開放してしまうということも防止できる。
【００８１】
（５）保護カバー７は、肉厚が薄く形成され、その形状が、ベース体３と蓋体５とを組み付けたときの右端部の形状とほぼ一致するように形成されている。つまり、基板ケース１は、保護カバー７が取り付けられた状態と保護カバー７が取り外された状態とで、その大きさはほとんど変わらないように形成されている。パチンコ機９６の背面側は、図１、図２に示すように、様々な部品や装置等が設けられ、余分なスペースはほとんどない。従って、基板ケース１に保護カバー７を取り付けて、基板ケース１に対する不正行為を防止するようにしても、パチンコ機９６背面側の貴重なスペースを余分にとる必要はなく、その結果、パチンコ機９６の設計に支障することがない。
【００８２】
（６）基板ケース１をパチンコ機９６に装着した状態では、裏カバー９７の右側下端部が、保護カバー７の右側上端部を覆うように重合している。従って、基板ケース１を不正に開放しようとすると、まず、裏カバー９７を支障のない位置まで開放もしくは裏カバー９７を取り外さなければならず、その結果、基板ケース１の開放に時間がかかり、基板ケース１を不正に開放する行為が困難になる。
【００８３】
６．他の実施形態
以上、本発明の実施形態に係わる遊技機の基板ケース１を図面に基づいて説明してきたが、具体的な構成は実施形態に示したものに限定されるものではなく、本発明の要旨を逸脱しない範囲における変更や追加などがあっても本発明に含まれる。例えば、上述した実施形態においては、保護カバー７は、係止片７９により、封印シール４５を覆うように基板ケース１に係止して固定するようにしたが、上記した規制板６６のように、保護カバー７に、ベース体３のスライド固定部９と蓋体５のスライド固定部２９との係合が解除されないように規制している部材があれば、保護カバー７は、封印シール４５を覆うように蓋体５に固定するだけでよく、この場合には、係止片７９は省略してもよい。また、保護カバー７には、封止部としての筒状部材６９は一つだけ設けられている場合を示したが、これは、図１６に示すように、筒状部材６９を二つ設けるようにしてもよい。図１６は、他の実施形態に係わる保護カバー９５の正面図である。なお、図１６において、上述した実施形態と同様な構成については、同じ符号を付す。
【００８４】
即ち、この他の実施形態では、蓋体５に、図３、図８に示すボス４６ｂと切り欠き４７とをさらに一個ずつ連設し（図示省略）、一方、保護カバー９５に、上述した実施形態と同様に、この連設されたボス４６ｂ及び切り欠き４７と対向するように、一対の支持腕７１によって接続される筒状部材６９及び切り欠き７０を設ける。つまり、保護カバー９５には、図１６に示すように、二つの筒状部材６９が連設され、この保護カバー９５の二つの筒状部材６９と蓋体５の二つのボス４６ｂとのそれぞれに、ワンウェイビス７３が螺入
できるようになっている。
【００８５】
このように構成される他の実施形態においては、保護カバー９５の封止部の数（２個）が、基板ケース１の封止部（固定部材５０、リング１７、筒状部材１４、３４）の数（２個）と整合するので、保護カバー９５は、遊技機の出荷時を含めて計２回の封止が可能となる。従って、この他の実施形態における遊技機の基板ケース１では、保護カバー９５を再利用することができるようになり、その結果、基板ケース１の使い勝手がよくなると共に、環境にもやさしく、さらに、コストダウンがはかれる。
【００８６】
なお、この他の実施形態においては、孔７２は、保護カバー９５にそのまま残すようにしたが、これは、孔７２に変えて筒状部材６９を設けるようにしてもよい。また、保護カバー９５の封止は、上述した実施形態と同様にワンウェイビス７３を用いて行うようにしたが、これは、基板ケース１の封止部（固定部材５０、リング１７、筒状部材１４、３４）と同様な構成にして行うようにしてもよい。
【００８７】
また、上述した実施形態ではパチンコ機９６で説明したが、これは限定するものではなく、例えば、スロットマシンやアレパチ、雀球等、制御基板を収容する基板ケースが設置されるような遊技機に本発明を適用できることは、言うまでもない。
【符号の説明】
【００８８】
１…基板ケース、  ３…ベース体、
５…蓋体、  ７…保護カバー、
８…係止部、  ９…スライド固定部、
１０…シール貼付面、  １１…ヒンジ、
１２…係合片、  １３…ベース板、
１４…筒状部材、  １５…支持腕、
１６…収納空間、  １７…リング、
１９…係合片、  ２０…間隙、
２１…係合片、  ２２…シール貼付面、
２４…基板装着部、  ２５…端子カバー、
２７…ワンウェイビス、  ２８…カシメピン、
２９…スライド固定部、  ３４…筒状部材、
３５…支持腕、  ３６…収納空間、
４０…カシメカバー、  ４１…ガイド部材、
４２…ビス、  ４３…孔、
４５…封印シール、  ４６ａ、４６ｂ…ボス、
４７…切り欠き、  ５０…固定部材、
５１…本体、  ５２…係止部、
５３…スリット、  ５４…逆止片、
５４ａ…挿入部、  ５４ｂ…係止部、
５５…ワッシャ、  ５６…筒状部、
５７…段差部、  ５８…フランジ部、
５９…連通孔、  ６０…待機空間、
６１…前面板、  ６２…側面板、
６３…上面板、  ６４…下面板、
６５…封印シール保護板、  ６６…規制板、
６７…封止部保護板、  ６８…平板、
６９…筒状部材、  ７０…切り欠き、
７１…支持腕、  ７２…孔、
７３…ワンウェイビス、  ７４…ビス、
７５…スリット、  ７６…封印シール保護板、
７７…切り欠き、  ７９…係止片、
８０…爪、  ８１…ガイド片、
８２…ストッパ片、  ８３…先端、
８４…溝、  ８５…粘着層、
８６…基材、  ８７…剥離紙、
８８…インレット、  ８８ａ…切り込み、
８９…切り込み、  ９１…受板、
９２…覆板、  ９３…先端、
９４…溝、  ９５…保護カバー、
９６…パチンコ機、  ９７…裏カバー、
９８…ヒンジ、  ９９…係合片
【図１０】
2015165939.tif 000003
【図１１】
2015165939.tif 000004
【図１２】
2015165939.tif 000005
【図１３】
2015165939.tif 000006
【図１】
2015165939.tif 000007
【図２】
2015165939.tif 000008
【図３】
2015165939.tif 000009
【図４】
2015165939.tif 000010
【図５】
2015165939.tif 000011
【図６】
2015165939.tif 000012
【図７】
2015165939.tif 000013
【図８】
2015165939.tif 000014
【図９】
2015165939.tif 000015
【図１４】
2015165939.tif 000016
【図１５】
2015165939.tif 000017
【図１６】
2015165939.tif 000018
【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
遊技機に取り付けられるベース体と、該ベース体に蓋をする蓋体とを備え、遊技の制御を行うための電子部品が実装された制御基板を収容する遊技機の基板ケースであって、
前記蓋体は、前記ベース体に対してスライドすることによって、該ベース体に重合又は離脱され、
前記重合されたベース体と蓋体との所定部位に跨って貼付される封印シールと、
少なくとも前記封印シールを覆うカバー部材と、を備え、
前記カバー部材は、前記重合されたベース体又は蓋体に所定の手段で固定されると共に、前記ベース体に固定された状態ではその所定部位を前記重合された蓋体の所定部位に係合させることにより、又は、前記蓋体に固定された状態ではその所定部位を前記重合されたベース体の所定部位に係合させることにより、該蓋体の該ベース体に対するスライドができないようにすることを特徴とする遊技機の基板ケース。
【請求項２】
遊技機に取り付けられるベース体と、該ベース体に蓋をする蓋体とを備え、遊技の制御を行うための電子部品が実装された制御基板を収容する遊技機の基板ケースであって、
前記蓋体は、前記ベース体に対して所定の移動をすることによって、該ベース体に重合又は離脱され、
前記重合されたベース体と蓋体との所定部位に跨って貼付される封印シールと、
少なくとも前記封印シールを覆うカバー部材と、
前記重合されたベース体と蓋体とを互いに離脱困難にする封止部と、
を備え、
前記カバー部材は、透明な材料にて形成されるとともに、前記封止部を覆うように形成され、
前記カバー部材は、前記重合されたベース体又は蓋体に所定の手段で固定されると共に、該ベース体又は蓋体に固定された状態では、該蓋体の該ベース体に対する離脱ができないようにすることを特徴とする遊技機の基板ケース。
【手続補正２】
【補正対象書類名】明細書
【補正対象項目名】０００９
【補正方法】変更
【補正の内容】
【０００９】
この様な問題を解決するために、本発明の遊技機の基板ケースは、請求項１に記載したように、遊技機に取り付けられるベース体と、該ベース体に蓋をする蓋体とを備え、遊技の制御を行うための電子部品が実装された制御基板を収容する遊技機の基板ケースであって、前記蓋体は、前記ベース体に対してスライドすることによって、該ベース体に重合又は離脱され、前記重合されたベース体と蓋体との所定部位に跨って貼付される封印シールと、少なくとも前記封印シールを覆うカバー部材と、を備え、前記カバー部材は、前記重合されたベース体又は蓋体に所定の手段で固定されると共に、前記ベース体に固定された状態ではその所定部位を前記重合された蓋体の所定部位に係合させることにより、又は、前記蓋体に固定された状態ではその所定部位を前記重合されたベース体の所定部位に係合させることにより、該蓋体の該ベース体に対するスライドができないようにすることを要旨とする。
【手続補正３】
【補正対象書類名】明細書
【補正対象項目名】００１０
【補正方法】変更
【補正の内容】
【００１０】
また、請求項２に記載の遊技機の基板ケースは、遊技機に取り付けられるベース体と、該ベース体に蓋をする蓋体とを備え、遊技の制御を行うための電子部品が実装された制御基板を収容する遊技機の基板ケースであって、前記蓋体は、前記ベース体に対して所定の移動をすることによって、該ベース体に重合又は離脱され、前記重合されたベース体と蓋体との所定部位に跨って貼付される封印シールと、少なくとも前記封印シールを覆うカバー部材と、前記重合されたベース体と蓋体とを互いに離脱困難にする封止部と、を備え、前記カバー部材は、透明な材料にて形成されるとともに、前記封止部を覆うように形成され、前記カバー部材は、前記重合されたベース体又は蓋体に所定の手段で固定されると共に、該ベース体又は蓋体に固定された状態では、該蓋体の該ベース体に対する離脱ができないようにすることを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
請求項１の遊技機の基板ケースは、電子部品が実装された制御基板を、遊技機に取り付けられるベース体と、このベース体に蓋をする蓋体とにより収容する。蓋体は、ベース体に対してスライドすることによって、ベース体に重合又は離脱され、重合されたベース体と蓋体との所定部位には、封印シールが跨って貼付される。また、本発明の遊技機の基板ケースは、少なくとも封印シールを覆うカバー部材を備えており、このカバー部材は、重合されたベース体又は蓋体に所定の手段で固定される。そして、カバー部材は、カバー部材がベース体又は蓋体に固定された状態では、蓋体のベース体に対するスライドができないようにする。
【手続補正１１】
【補正対象書類名】明細書
【補正対象項目名】００１８
【補正方法】変更
【補正の内容】
【００１８】
従ってこの様に構成される本発明の遊技機の基板ケースにおいては、カバー部材を取り外さなければ、蓋体をベース体に対してスライドさせて基板ケースを開放することができないので、その結果、基板ケースの開放に時間がかかり、基板ケースを不正に開放する行為が困難になる。また、何らかの原因で、基板ケースが不本意に開放してしまうということも防止できる。
蓋体は、ベース体に対してスライドすることによって、ベース体に重合又は離脱する。そして、カバー部材は、ベース体に固定された状態ではその所定部位を重合された蓋体の所定部位に係合させることにより、又は、蓋体に固定された状態ではその所定部位を重合されたベース体の所定部位に係合させることにより、蓋体のベース体に対するスライドができないようにする。従って、本発明の遊技機の基板ケースによれば、カバー部材を重合されたベース体に固定し、カバー部材の所定部位を重合された蓋体の所定部位に係合することで、或いは、カバー部材を重合された蓋体に固定し、カバー部材の所定部位を重合されたベース体の所定部位に係合することで、蓋体のベース体に対するスライドを防止することが容易に実現できる。
【手続補正１２】
【補正対象書類名】明細書
【補正対象項目名】００２１
【補正方法】変更
【補正の内容】
【００２１】
請求項２の遊技機の基板ケースは、カバー部材は、重合されたベース体と蓋体とを互いに離脱困難にしている封止部を覆うように形成されている。つまり、カバー部材は、基板ケースの封止部を露出しないように覆って保護している。従って、基板ケースを不正に開放しようとすると、まず、カバー部材を取り外し、その後、封止部を解除する必要がある。その結果、基板ケースを不正に開放するのに要する時間が、通常よりもカバー部材を取り外す時間だけ長くなり、基板ケースを不正に開放する行為が困難になる。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
次に特許請求の範囲の構成と、本発明の実施形態との主な対応を説明する。
遊技機は、パチンコ機９６に相当し、ベース体は、ベース体３に相当し、蓋体は、蓋体５に相当し、基板ケースは、基板ケース１に相当し、所定部位は、シール貼付面１０、シール貼付面２２に相当し、封印シールは、封印シール４５に相当し、カバー部材は、保護カバー７に相当し、封止部は、固定部材５０、リング１７、筒状部材１４、３４に相当する。